(57)【特許請求の範囲】
【請求項１】
レセプタクルハウジング内に一対の電源端子と一対の信号端子とを備えてなるレセプタクルと、前記一対の電源端子と接離される主端子と前記一対の信号端子と接離される副端子とを有するプラグとよりなる電源回路遮断装置であって、
前記プラグはプラグハウジングと、前記プラグハウジングに回動可能に取り付けられたレバーと、前記プラグハウジングにスライド可能に取り付けられたロックスライダと、前記プラグハウジング内に変位可能に収容されて前記ロックスライダに支持されたサブコネクタとを備え、前記主端子は前記プラグハウジングに保持され、前記副端子は前記サブコネクタに保持されており、
前記レバーは開位置と閉位置間を回動可能とされ、
前記プラグは前記レバーが前記開位置に位置している時に前記レセプタクルに対して挿入または抜去可能とされ、
前記プラグハウジングは、前記プラグを前記レセプタクルに挿入した状態で前記レバーを回動させることにより、前記レバーの回動に伴い、前記レセプタクルハウジングに対して変位し、
前記ロックスライダは、前記レバーが前記閉位置に位置している時に非接続位置と接続位置間をスライド可能とされ、前記レバーが前記閉位置に位置していない時は前記非接続位置に位置し、
前記サブコネクタは前記ロックスライダのスライドに伴い変位し、
前記主端子と前記一対の電源端子とは前記プラグを前記レセプタクルに挿入した状態で前記レバーが前記開位置から回動した位置に位置している時に互いに接続され、
前記副端子と前記一対の信号端子とは前記プラグを前記レセプタクルに挿入し、前記レバーが前記閉位置に位置している状態で前記ロックスライダが前記接続位置に位置している時に互いに接続されることを特徴とする電源回路遮断装置。
【請求項２】
請求項１記載の電源回路遮断装置において、
前記レバーの回動に伴う前記レセプタクルハウジングに対する前記プラグハウジングの変位は、第１のカム溝と前記第１のカム溝内を移動する第１のボスとよりなる第１のカム機構によって行われ、
前記レバーと前記レセプタクルハウジングの一方に前記第１のカム溝が形成され、他方に前記第１のボスが形成されていることを特徴とする電源回路遮断装置。
【請求項３】
請求項１又は２記載の電源回路遮断装置において、
前記ロックスライダのスライドに伴う前記サブコネクタの変位は、第２のカム溝と前記第２のカム溝内を移動する第２のボスとよりなる第２のカム機構によって行われ、
前記ロックスライダと前記サブコネクタの一方に前記第２のカム溝が形成され、他方に前記第２のボスが形成されていることを特徴とする電源回路遮断装置。
【請求項４】
請求項１乃至３記載のいずれかの電源回路遮断装置において、
前記ロックスライダと前記プラグハウジングの一方に第１のロック片が形成され、他方に前記第１のロック片がロックされる第１のロック部が形成され、
前記レバーが前記閉位置に位置していない時には前記第１のロック片が前記第１のロック部にロックされて前記ロックスライダの前記非接続位置からのスライドが規制され、
前記レバーが前記閉位置に位置している時には前記レバーに形成されている突起によって前記第１のロック片が押されて前記第１のロック部による前記第１のロック片のロックが解除されていることを特徴とする電源回路遮断装置。
【請求項５】
請求項４記載の電源回路遮断装置において、
前記レバーを回動させる力が解除され、前記突起と前記第１のロック片とが接している状態では前記レバーは前記閉位置に位置していないことを特徴とする電源回路遮断装置。
【請求項６】
請求項１乃至５記載のいずれかの電源回路遮断装置において、
前記ロックスライダに第２のロック片が形成され、前記第２のロック片をロックする第２のロック部が前記レバーに形成され、
前記ロックスライダが前記接続位置に位置している時には前記第２のロック片が前記第２のロック部にロックされて前記ロックスライダの前記接続位置からのスライドが規制され、
前記第２のロック片に一体形成されているボタンを押している時、前記第２のロック部による前記第２のロック片のロックが解除されていることを特徴とする電源回路遮断装置。
【請求項７】
請求項１乃至６記載のいずれかの電源回路遮断装置において、
前記ロックスライダが前記接続位置に位置している時には前記レバー及び前記レセプタクルハウジングにそれぞれ形成されている規制片が前記ロックスライダに形成されている溝に入り込んで前記レバーの回動が規制されていることを特徴とする電源回路遮断装置。
【請求項８】
請求項１乃至７記載のいずれかの電源回路遮断装置において、
前記レバーと前記プラグハウジングの一方に位置決め片が形成され、他方に前記位置決め片が位置決めされるスリットが形成され、
前記レバーが前記開位置に位置している時には前記位置決め片が前記スリットに位置して位置決めされて前記レバーの前記開位置に位置する状態が維持されていることを特徴とする電源回路遮断装置。
【発明の詳細な説明】
【技術分野】
【０００１】
この発明は例えば電気系統のメンテナンス作業等を行う場合に電源回路を遮断する電源回路遮断装置に関する。
【背景技術】
【０００２】
図１４はこの種の電源回路遮断装置の従来例として特許文献１に記載されているコネクタ装置を示したものであり、このコネクタ装置は電源システムから供給される電力を中継するものとなっている。
【０００３】
コネクタ装置はコネクタ１０と相手側コネクタ２０とを備えている。コネクタ１０は相手側コネクタ２０と嵌合及び抜去可能とされている。図１５はコネクタ１０を各部に分解して示したものであり、コネクタ１０はハウジング１１と主端子（電源端子）１２と第1操作部材（レバー）１３と第２操作部材(スライダ)１４とサブコネクタ１５と副端子（検知端子）１６とを有している。
【０００４】
図１６はコネクタ１０が相手側コネクタ２０に嵌合され、第２操作部材１４が初期位置にある状態を示したものであり、図１７はコネクタ１０が相手側コネクタ２０に嵌合され、第２操作部材１４が移動位置にある状態を示したものである。また、図１８は図１７に示した状態のコネクタ装置の断面構造を示したものである。
【０００５】
以下、このコネクタ装置の概要を説明する。
【０００６】
相手側コネクタ２０は相手側ハウジング２１と図１８に示したように２つの相手側主端子２２と相手側サブコネクタ２３と２つの相手側副端子２４とを備えている。２つの相手側副端子２４は相手側サブコネクタ２３に保持されており、相手側サブコネクタ２３は相手側ハウジング２１に保持されている。相手側主端子２２は相手側ハウジング２１の保持部２１ａにそれぞれ挿入されて保持されている。
【０００７】
一方、コネクタ１０の主端子１２はハウジング１１に挿入されてハウジング１１に保持され、第１操作部材１３はハウジング１１に取り付けられている。ハウジング１１の支持軸１１ａは第１操作部材１３の支点部１３ａに挿入され、第１操作部材１３は回転が許容されている。第１操作部材１３は支点部１３ａを中心として回転することで初期位置（図１４における位置）と移動位置（図１６における位置）との間を移動するように構成されている。
【０００８】
第２操作部材１４はスライド突起１４ａが第１操作部材１３のスライド溝１３ｂに挿入され、これにより第２操作部材１４は第１操作部材１３の長手方向に移動可能となるようにして第１操作部材１３に支持されている。第２操作部材１４は第１操作部材１３に対して相対的にスライドすることで初期位置と移動位置との間を移動する。
【０００９】
副端子１６はサブコネクタ１５の保持部１５ａに保持され、サブコネクタ１５はハウジング１１に下方から挿入されて収容部１１ｂに収容されている。サブコネクタ１５はハウジング１１内において第１位置（上方位置）と第２位置（下方位置）のそれぞれに位置できるようにしてハウジング１１に支持されている。
【００１０】
相手側コネクタ２０へのコネクタ１０の嵌合は以下のようにして行われる。
【００１１】
ハウジング１１を相手側ハウジング２１に向かって下方に移動させると、ハウジング１１の下端部は相手側ハウジング２１に挿入される。第１操作部材１３が初期位置に位置している時、相手側ハウジング２１の円柱形状をなす相手側被作用部（図１４では隠れて見えない）は第１操作部材１３の第１作用部１３ｃ内に位置される。相手側被作用部及び第１作用部１３ｃはそれぞれカム突起及びカム溝である。
【００１２】
初期位置にある第１操作部材１３を支点部１３ａを中心に回転させ、第１操作部材１３を移動位置（図１６における位置）に移動させる。この時、第１作用部１３ｃ内を相手側被作用部が移動し、これによりハウジング１１は下方に移動し、主端子１２が相手側主端子２２と接続される。主端子１２と２つの相手側主端子２２とが接続されると、電源回路（図示せず）が形成される。
【００１３】
図１６に示したように第２操作部材１４が初期位置に位置している時、サブコネクタ１５の被作用部１５ｂは第２操作部材１４の第２作用部１４ｂ内の前側の端部に位置している。被作用部１５ｂはカム突起であり、第２作用部１４ｂはカム溝である。
【００１４】
初期位置（図１６における位置）にある第２操作部材１４をスライドさせると、第２操作部材１４は移動位置（図１７における位置）に移動する。被作用部１５ｂは第２作用部１４ｂ内を移動し、これによりサブコネクタ１５は下方に移動する。図１８に示したようにサブコネクタ１５の移動により副端子１６は２つの相手側副端子２４と接続され、これにより電源回路（図示せず）のスイッチが閉じ、通電が開始される。
【００１５】
相手側コネクタ２０と嵌合したコネクタ１０は以下のようにして相手側コネクタ２０から抜去することができる。
【００１６】
第２操作部材１４のロックレバー１４ｃを下方に押圧すると、ロックが解除され、第２操作部材１４を移動位置から初期位置に移動させることができ、これによりサブコネクタ１５が第２位置から第１位置に移動して副端子１６と相手側副端子２４との接続が解除され、通電が停止される。
【００１７】
第１操作部材１３を回転させ、初期位置に移動させる。ハウジング１１は上方に移動し、これにより主端子１２が上方に移動して、主端子１２と相手側主端子２２との接続が解除され、電源回路が遮断される。
【００１８】
このように、この例では第１操作部材１３の操作によってハウジング１１の主端子１２と相手側主端子２２との接続及び接続の解除が行われ、第２操作部材１４の操作によってサブコネクタ１５の副端子１６と相手側副端子２４との接続及び接続の解除が行われる。即ち、主端子１２を保持したハウジング１１を操作する第１操作部材１３と、副端子１６を保持したサブコネクタ１５を操作する第２操作部材１４とが異なっている。このため、通電の停止と電源回路の遮断とを一気に行うことができず、副端子１６の接続解除から主端子１２の接続解除までの間に十分な時間を設けることができるものとなっている。
【先行技術文献】
【特許文献】
【００１９】
【特許文献１】特開２０１５−５０１１６号公報
【発明の概要】
【発明が解決しようとする課題】
【００２０】
上記のような電源回路遮断装置（コネクタ装置）によれば、通電状態で電源回路が遮断されるといったことを回避することができ、通電停止から電源回路の遮断までに放電時間を確保することができる。よって、大容量の電源を用いる電気系統に配備すれば、メンテナンス作業等を行う場合の電源回路遮断時に端子間のアーク放電の発生を防止することができ、メンテナンス作業を行う作業者の安全性を確保することができる。
【００２１】
ところで、図１４〜１８に示したような構成を有する電源回路遮断装置ではスライド操作される第２操作部材（スライダ）１４は回動（回転移動）操作される第１操作部材（レバー）１３に取り付けられている。第１操作部材１３はその支点部１３ａにハウジング１１の支持軸１１ａが挿入されて回動可能とされているものの、ガタツキの発生は免れ得ず、第２操作部材１４は第１操作部材１３のガタツキの影響を受けることになり、位置精度の悪化が生じうる。
【００２２】
第２操作部材１４の位置精度の悪化は第２操作部材１４の移動に伴い、移動するサブコネクタ１５の位置精度の悪化を招く。これによりサブコネクタ１５に保持されている副端子１６と相手側副端子２４との位置合わせ精度に限界が生じ、副端子１６と相手側副端子２４とが良好に接続されないといった事態が生じうる。
【００２３】
この発明の目的はこのような問題に鑑み、サブコネクタが保持する副端子の接続時の位置合わせ精度を大幅に向上させることができるようにした電源回路遮断装置を提供することにある。
【課題を解決するための手段】
【００２４】
請求項１の発明によれば、レセプタクルハウジング内に一対の電源端子と一対の信号端子とを備えてなるレセプタクルと、一対の電源端子と接離（接触及び分離）される主端子と一対の信号端子と接離される副端子とを有するプラグとよりなる電源回路遮断装置において、プラグはプラグハウジングと、プラグハウジングに回動可能に取り付けられたレバーと、プラグハウジングにスライド可能に取り付けられたロックスライダと、プラグハウジング内に変位可能に収容されてロックスライダに支持されたサブコネクタとを備え、主端子はプラグハウジングに保持され、副端子はサブコネクタに保持され、レバーは開位置と閉位置間を回動可能とされ、プラグはレバーが開位置に位置している時に、レセプタクルに対して挿入または抜去可能とされ、プラグハウジングはプラグをレセプタクルに挿入した状態でレバーを回動させることにより、レバーの回動に伴いレセプタクルハウジングに対して変位し、ロックスライダはレバーが閉位置に位置している時に非接続位置と接続位置間をスライド可能とされ、レバーが閉位置に位置していない時は非接続位置に位置し、サブコネクタはロックスライダのスライドに伴い変位し、主端子と一対の電源端子とはプラグをレセプタクルに挿入した状態でレバーが開位置から回動した位置に位置している時に互いに接続され、副端子と一対の信号端子とはプラグをレセプタクルに挿入し、レバーが閉位置に位置している状態でロックスライダが接続位置に位置している時に互いに接続される。
【００２５】
請求項２の発明では請求項１の発明において、レバーの回動に伴うレセプタクルハウジングに対するプラグハウジングの変位は、第１のカム溝と第１のカム溝内を移動する第１のボスとよりなる第１のカム機構によって行われ、レバーとレセプタクルハウジングの一方に第１のカム溝が形成され、他方に第１のボスが形成されているものとされる。
【００２６】
請求項３の発明では請求項１又は２の発明において、ロックスライダのスライドに伴うサブコネクタの変位は、第２のカム溝と第２のカム溝内を移動する第２のボスとよりなる第２のカム機構によって行われ、ロックスライダとサブコネクタの一方に第２のカム溝が形成され、他方に第２のボスが形成されているものとされる。
【００２７】
請求項４の発明では請求項１乃至３のいずれかの発明において、ロックスライダとプラグハウジングの一方に第１のロック片が形成され、他方に第１のロック片がロックされる第１のロック部が形成され、レバーが閉位置に位置していない時には第１のロック片が第１のロック部にロックされてロックスライダの非接続位置からのスライドが規制され、レバーが閉位置に位置している時にはレバーに形成されている突起によって第１のロック片が押されて第１のロック部による第１のロック片のロックが解除されているものとされる。
【００２８】
請求項５の発明では請求項４の発明において、レバーを回動させる力が解除され、前記突起と第１のロック片とが接している状態ではレバーは閉位置に位置していないものとされる。
【００２９】
請求項６の発明では請求項１乃至５のいずれかの発明において、ロックスライダに第２のロック片が形成され、第２のロック片をロックする第２のロック部がレバーに形成され、ロックスライダが接続位置に位置している時には第２のロック片が第２のロック部にロックされてロックスライダの接続位置からのスライドが規制され、第２のロック片に一体形成されているボタンを押している時、第２のロック部による第２のロック片のロックが解除されているものとされる。
【００３０】
請求項７の発明では請求項１乃至６のいずれかの発明において、ロックスライダが接続位置に位置している時にはレバー及びレセプタクルハウジングにそれぞれ形成されている規制片がロックスライダに形成されている溝に入り込んでレバーの回動が規制されているものとされる。
【００３１】
請求項８の発明では請求項１乃至７のいずれかの発明において、レバーとプラグハウジングの一方に位置決め片が形成され、他方に位置決め片が位置決めされるスリットが形成され、レバーが開位置に位置している時には位置決め片がスリットに位置して位置決めされてレバーの開位置に位置する状態が維持されているものとされる。
【発明の効果】
【００３２】
この発明によれば、副端子を保持するサブコネクタを変位させるロックスライダは、回動操作されるレバーではなく、プラグハウジングに取り付けられているため、ロックスライダはレバーのガタツキの影響を受けないものとなる。
【００３３】
よって従来のようにロックスライダ（スライダ）がレバーに取り付けられ、レバーのガタツキの影響を受ける構成に比し、この発明によればロックスライダ及びロックスライダのスライドに伴い変位するサブコネクタの位置精度を向上させることができ、これによりサブコネクタに保持されている副端子と相手側の一対の信号端子との位置合わせ精度を向上させることができるため、副端子と一対の信号端子とが良好に接続されないといった不具合の発生を防止することができる。
【００３４】
加えて、一対の信号端子に対する副端子の挿抜が良好に行われるため、その点でこの発明によればロックスライダのスライド操作時の操作感触を向上させることができる。
【図面の簡単な説明】
【００３５】
【図１】この発明による電源回路遮断装置の一実施例を示す斜視図。
【図２】図１におけるプラグの分解斜視図。
【図３】図１におけるレセプタクルの分解斜視図。
【図４】Ａは図２におけるプラグハウジングの正面図、Ｂはその底面図、Ｃはその斜視図、ＤはＢのＥ−Ｅ線断面図。
【図５】Ａは図２におけるレバーの正面図、Ｂはその底面図、Ｃはその斜視図、ＤはＢのＥ−Ｅ線断面図。
【図６】Ａは図２におけるロックスライダの正面図、Ｂはその左側面図、Ｃはその平面図、Ｄはその斜視図、ＥはＣのＦ−Ｆ線断面図。
【図７】Ａは図２におけるサブコネクタの正面図、Ｂはその底面図、Ｃはその左側面図、Ｄはその右側面図、Ｅはその斜視図、ＦはＢのＧ−Ｇ線断面図。
【図８】Ａは図３におけるレセプタクルハウジングの正面図、Ｂはその底面図、ＣはＢのＥ−Ｅ線断面図、ＤはＢのＦ−Ｆ線断面図。
【図９】Ａはプラグがレセプタクルに挿入された状態を示す斜視図、Ｂはその断面図。
【図１０】Ａは図９に示した状態からレバーが回動された状態を示す斜視図、Ｂはその断面図、ＣはＢに示したＤ−Ｄ線におけるＡの断面図。
【図１１】Ａは図１０に示した状態からレバーがさらに回動されて閉位置に位置した状態を示す斜視図、Ｂ，Ｃはその断面図。
【図１２】Ａは図１１に示した状態からロックスライダがスライドされた状態を示す斜視図、Ｂ，Ｃはその断面図。
【図１３】Ａは図１１に示した状態からレバーを押す力が解除されてレバーが浮き上がった状態を示す斜視図、Ｂはその断面図。
【図１４】電源回路遮断装置の従来例を示す斜視図。
【図１５】図１４におけるコネクタの分解斜視図。
【図１６】図１４に示した電源回路遮断装置において、コネクタが相手側コネクタに嵌合されて第１操作部材が移動位置に移動された状態を示す斜視図。
【図１７】図１６に示した状態から第２操作部材が移動位置に移動された状態を示す斜視図。
【図１８】図１７に示した状態の断面図。
【発明を実施するための形態】
【００３６】
この発明の実施形態を図面を参照して実施例により説明する。
【００３７】
図１はこの発明による電源回路遮断装置の一実施例を示したものであり、電源回路遮断装置はレセプタクル１００と、レセプタクル１００に挿入及び抜去が可能とされたプラグ２００とよりなる。図２はプラグ２００を各部に分解して示したものであり、図３はレセプタクル１００を各部に分解して示したものである。
【００３８】
プラグ２００は図２に示したようにプラグハウジング３０とレバー４０とロックスライダ５０とサブコネクタ６０と主端子７０と副端子８０とよりなる。レセプタクル１００は図３に示したようにレセプタクルハウジング１１０と一対の電源端子１２０と一対の信号端子を保持したコネクタ１３０と２つのナット１４０と２つのカラー１５０とよりなる。図４〜８はプラグハウジング３０、レバー４０、ロックスライダ５０、サブコネクタ６０及びレセプタクルハウジング１１０の構成をそれぞれ示したものであり、これら図４〜８に示した部品はいずれも樹脂製とされる。なお、図３中、１６０は一対の信号端子と接続されてコネクタ１３０から引き出されているリード線を示す。
【００３９】
まず、最初に、プラグ２００の各部の構成を説明する。
【００４０】
プラグハウジング３０は図４に示したようにそれぞれ中空とされて底面が開放された第１角筒部３１と第２角筒部３２とを備え、第１角筒部３１の上面３１ａは細長の略長方形とされて、その長方形の短辺に位置するように第２角筒部３２が第１角筒部３１に隣接して形成されている。第２角筒部３２の上面３２ａは第１角筒部の上面３１ａより低くされ、第２角筒部３２の底面３２ｂは第１角筒部３１の底面３１ｂより下方に位置されている。
【００４１】
第１角筒部３１の幅方向（上面３１ａの短辺方向）の両側壁３１ｃ，３１ｄには幅方向、互いに外向きに突出して軸３１ｅが形成されており、さらに両側壁３１ｃ，３１ｄにはスリット３１ｆが第１角筒部３１の高さ方向に延伸されて形成されている。第１角筒部３１の上面３１ａの内面３１ｇには上面３１ａの長辺方向に延伸する溝３１ｈが形成されており、溝３１ｈの延伸方向中央には溝３１ｈを分断するように突部３１ｉが形成されている。また、溝３１ｈの延伸方向中央部分において溝３１ｈの幅方向両側には溝３１ｈを挟むようにそれぞれ３つのリブ３１ｋが形成されている。溝３１ｈの幅方向両側の各３つのリブ３１ｋのうち、３つの中央に位置するリブ３１ｋは第１角筒部３１の底面３１ｂ方向に突出する高さが他のリブ３１ｋより高くされている。一方、溝３１ｈの延伸方向両端にはそれぞれコ字状をなす保持部３１ｍが形成されている。保持部３１ｍは内面３１ｇにコ字の両端が位置し、内面３１ｇ上に突出するように設けられている。
【００４２】
第１角筒部３１の側壁３１ｃ，３１ｄと平行な第２角筒部３２の側壁３２ｃ，３２ｄには第２角筒部３２の高さ方向に延伸されてスリット３２ｅが形成されている。スリット３２ｅの下端は第２角筒部３２の底面３２ｂに至って開放されている。第２角筒部３２の残る２つの側壁３２ｆ，３２ｇの内面には突起３２ｈ，３２ｉがそれぞれ形成されている。突起３２ｈは第２角筒部３２の下端に位置し、突起３２ｉは第２角筒部３２の上端側に位置している。また、第２角筒部３２の側壁３２ｃ，３２ｄの上端には互いに外向きに突出するレール３２ｋが側壁３２ｆから側壁３２ｇに至って形成されている。
【００４３】
一方、第２角筒部３２の外側には外枠部３３が設けられている。外枠部３３は第２角筒部３２の側壁３２ｃ，３２ｄの外側に側壁３２ｃ，３２ｄと所定量離間して側壁３２ｃ，３２ｄと平行に位置する一対の板部３３ａ，３３ｂを備え、板部３３ａ，３３ｂの下端はそれぞれ支持部３３ｃ，３３ｄにより第２角筒部３２の側壁３２ｃ，３２ｄに連結支持されている。
【００４４】
板部３３ａ，３３ｂの上端は第１角筒部３１の上面３１ａより上方に位置され、板部３３ａ，３３ｂの上端側には板部３３ａ，３３ｂを連結するように連結部３３ｅが形成されている。連結部３３ｅの連結方向中央にはロック部３３ｆが形成されている。なお、ロック部３３ｆと第１角筒部３１の上面３１ａとの間には窓３３ｇが構成されている。
【００４５】
レバー４０は図５に示したような形状とされ、操作部４１は枠状をなす。操作部４１の枠の長手方向の一端側には板状とされて互いに対向配置された一対の支持部４２が操作部４１の長手方向に突出されて形成されており、一対の支持部４２の互いの外側面４２ａの間隔は操作部４１の幅より小とされ、一対の支持部４２の外側面４２ａの一部には操作部４１の長手方向に沿う側壁４１ａ，４１ｂがそれぞれ延長されてなる延長部４３が位置している。
【００４６】
一対の支持部４２には軸穴４２ｂがそれぞれ貫通形成され、外側面４２ａには略円弧状をなすカム溝４２ｃがそれぞれ形成されている。カム溝４２ｃの一端は操作部４１の長手方向に突出する支持部４２の突出方向の先端に至って開放されている。さらに、一対の支持部４２には短冊状をなす位置決め片４２ｄがそれぞれ切り抜いて形成されている。片持梁状をなす一対の位置決め片４２ｄの遊端には互いに内向きに突出する突起４２ｅが形成されている。
【００４７】
一方、操作部４１の側壁４１ａ，４１ｂ上に位置し、枠状をなす上板部４１ｃの上面には一対の突部４１ｄが突出形成され、上板部４１ｃの内面には柱状をなす一対のロック部４１ｅが突出形成されている。これら一対の突部４１ｄ及び一対のロック部４１ｅは操作部４１の先端側（支持部４２が位置する側と反対側）において操作部４１の幅方向両側に設けられている。
【００４８】
さらに、操作部４１には突起４１ｆと一対の規制片４１ｇが設けられている。突起４１ｆは操作部４１の基端側（支持部４２が位置する側）において上板部４１ｃの内面から断面Ｌ字状をなすように突出形成されたＬ字板部４１ｈの先端に形成されている。突起４１ｆは操作部４１の枠内において幅方向中央に位置し、操作部４１の底面４１ｉ方向に突出するように形成されている。一対の規制片４１ｇは操作部４１の先端側において操作部４１の前方壁４１ｋと側壁４１ａ及び前方壁４１ｋと側壁４１ｂにそれぞれ支持され、操作部４１の底面４１ｉに位置するように形成されている。これら一対の規制片４１ｇは操作部４１の底面４１ｉに沿う板状をなす。
【００４９】
ロックスライダ５０は図６に示したように互いに対向する一対の側板部５１と、一対の側板部５１のそれぞれ上端に位置して互いに内向きに突出された支持板部５２と、両支持板部５２の一端側（後端側）において両支持板部５２上に両支持板部５２にまたがって形成されたガード部５３と、両支持板部５２の他端側（前端側）を連結する連結板部５４と、連結板部５４から延長形成された第１のロック片５５と、一対の側板部５１に一対の第２のロック片５６を介して支持されたボタン５７とを備える。
【００５０】
一対の側板部５１にはカム溝５８が形成されている。カム溝５８は前方水平部５８ａと、前方水平部５８ａの後端から上方（支持板部５２側）に向かって傾斜して延長された傾斜部５８ｂと、傾斜部５８ｂの上端から水平方向に延長された後方水平部５８ｃとよりなり、側板部５１を貫通して形成されている。なお、一対の側板部５１の互いの内側面の前方水平部５８ａの延長上には側板部５１の前端面に至る凹部５１ａが形成されている。
【００５１】
一対の側板部５１の上端側の互いの外側面には段部５１ｂがそれぞれ形成されて厚さが大とされており、段部５１ｂには前後方向に延びる溝５１ｃが形成されている。溝５１ｃの後端は側板部５１の後端面に至って開放されている。また、一対の側板部５１の上端側の互いの内側面には側板部５１の前端面から後端面に渡って前後方向に延びるガイド溝５１ｄが形成されている。
【００５２】
一対の第２のロック片５６は段部５１ｂの前端側から前方に突出された後、上方に曲げられ、さらに後方に曲げ返された形状を有し、一対の第２のロック片５６の先端側（遊端側）において一対の第２のロック片５６を連結してボタン５７が設けられている。一対の第２のロック片５６の遊端側にはボタン５７を挟んで爪５６ａが上方に突出形成されている。なお、ボタン５７には後方に突出延長されてコ字形状のガード部５３のコ字の内側に挿入位置される延長部５７ａが形成されている。
【００５３】
第１のロック片５５は連結板部５４の後端面から後方に延長された後、曲げ返されて前方に延長された形状を有し、ボタン５７の下方に位置されている。第１のロック片５５の遊端は連結板部５４上に位置してボタン５７より前方に突出されており、遊端には爪５５ａが上方に突出形成されている。第１のロック片５５の押し下げられる方向への過大な変位は連結板部５４によって阻止される。また、ボタン５７の引き上げられる方向への過大な変位、即ち第２のロック片５６の引き上げられる方向への過大な変位はガード部５３によって阻止される。
【００５４】
サブコネクタ６０は図７に示したような形状とされ、両端面（上下面）が開放された角筒状をなす。互いに対向する側壁６０ａ，６０ｂの上端側には互いに外向きに突出するボス６１が形成されており、残る側壁６０ｃ，６０ｄにはそれぞれバネ片６２，６３が形成されている。バネ片６２は側壁６０ｃの下端側に形成された切欠き６４に位置し、上下方向に伸長されて形成されている。バネ片６２は側壁６０ｃの下端側が遊端とされ、遊端には突部６２ａが側壁６０ｃより外側に突出するように形成されている。側壁６０ｄは側壁６０ａ，６０ｂの下端側のみに位置する形状とされ、バネ片６３は側壁６０ｄの上端面から上方に向かって伸長されて形成されている。バネ片６３の遊端には突部６３ａが側壁６０ｄより外側に突出するように形成されている。
【００５５】
サブコネクタ６０の内部には副端子８０が圧入して取り付けられる取付け部６５が設けられている。取付け部６５には副端子８０が圧入される穴６５ａが上下方向に貫通して形成されている。取付け部６５は支持部６６を介して側壁６０ａ，６０ｂ及び６０ｃの内面に支持されている。
【００５６】
主端子７０は図２に示したように板状をなし、一対の接触片７１の一端側（上端側）が連結部７２によって連結された形状とされている。連結部７２の幅方向両端面には互いに外向きに突出する爪７２ａが形成されており、連結部７２の上端面（接触片７１が位置する側と反対側の端面）の幅方向中央には凹部７２ｂが形成され、さらに凹部７２ｂを挟んで幅方向両側には凸部７２ｃがそれぞれ形成されている。
【００５７】
副端子８０は図２に示したように主端子７０と同様、板状をなし、一対の接触片８１の上端側が連結部８２によって連結された形状とされている。連結部８２の幅方向両端面には互いに外向きに突出する爪８２ａが形成されている。
【００５８】
プラグ２００の組立ては以下のように行われる。
【００５９】
・主端子７０はプラグハウジング３０の第１角筒部３１内に挿入されてプラグハウジング３０に取り付けられる。主端子７０は一対の爪７２ａが第１角筒部３１内の一対の保持部３１ｍにそれぞれ引っ掛かって保持される。主端子７０の一対の凸部７２ｃは第１角筒部３１の溝３１ｈ内に位置され、また凹部７２ｂには溝３１ｈに形成されている突部３１ｉが嵌まり込む。これにより主端子７０は位置決めされ、また第１角筒部３１の計６つのリブ３１ｋによって挟まれることで倒れが防止される。
【００６０】
・副端子８０はサブコネクタ６０の取付け部６５の穴６５ａに爪８２ａを有する連結部８２が圧入されてサブコネクタ６０に取り付けられる。
【００６１】
・副端子８０を保持したサブコネクタ６０はプラグハウジング３０の第２角筒部３２内に挿入されてプラグハウジング３０内に上下方向に変位可能に収容される。この際、サブコネクタ６０はバネ片６２の突部６２ａが第２角筒部３２の側壁３２ｆに形成されている突起３２ｈを乗り越えて突起３２ｈの上方に位置するように押し込まれる。サブコネクタ６０の一対のボス６１は第２角筒部３２のスリット３２ｅに位置されて先端側が側壁３２ｃ，３２ｄの外側にそれぞれ突出される。
【００６２】
・ロックスライダ５０はプラグハウジング３０の後方側（第２角筒部３２が位置する側）から外枠部３３内に挿入されて取り付けられる。ロックスライダ５０の一対のガイド溝５１ｄにはプラグハウジング３０の一対のレール３２ｋが位置し、これによりロックスライダ５０はレール３２ｋに案内されてプラグハウジング３０の前後方向にスライド可能とされる。
【００６３】
一方、ロックスライダ５０を押し込むことにより、サブコネクタ６０の一対のボス６１はロックスライダ５０の一対の側板部５１に形成されている凹部５１ａを通ってカム溝５８に嵌まり込み、これによりサブコネクタ６０はロックスライダ５０に支持される。そして、ロックスライダ５０を第１のロック片５５の爪５５ａがプラグハウジング３０の窓３３ｇに位置し、ロック部３３ｆに引っ掛かってロックされるまでさらに押し込む。この押し込みにより、サブコネクタ６０の一対のボス６１はロックスライダ５０のカム溝５８に案内されて移動し、これによりサブコネクタ６０は上方に変位し、バネ片６３の突部６３ａが第２角筒部３２の側壁３２ｇに形成されている突起３２ｉを乗り越えて突起３２ｉの上方に位置する状態となる。この時、サブコネクタ６０の一対のボス６１はカム溝５８の後方水平部５８ｃに位置した状態となる。
【００６４】
・レバー４０は一対の軸穴４２ｂにプラグハウジング３０の軸３１ｅが挿入位置され、これによりレバー４０はプラグハウジング３０に軸３１ｅを中心として回動可能に取り付けられる。
【００６５】
以上により図１に示したプラグ２００の組立てが完了する。なお、レバー４０に形成されている位置決め片４２ｄがプラグハウジング３０に形成されているスリット３１ｆに位置して位置決めされることにより、レバー４０はプラグハウジング３０に対して図１に示したような直立した状態に維持され、即ち開位置に位置する状態に維持されるものとなっている。
【００６６】
次に、レセプタクルハウジング１１０及び電源端子１２０の構成を説明する。
【００６７】
レセプタクルハウジング１１０は図３及び図８に示したように細長形状の角筒部１１１を有し、角筒部１１１の幅方向両側には平板状をなすフランジ１１２が突出形成されている。フランジ１１２にはカラー取付け用の穴１１２ａが２つ形成されており、２つの穴１１２ａはフランジ１１２の対角角部に設けられている。角筒部１１１の一端（上端）は開放されており、他端（下端）には底板１１３が設けられている。
【００６８】
底板１１３には底板１１３の上下に突出してコネクタ１３０の取付け部１１４と一対の電源端子１２０の取付け部１１５が形成されている。取付け部１１４には上下方向に貫通する穴１１４ａが形成されており、取付け部１１５には上下方向に貫通する一対の穴１１５ａが形成されている。取付け部１１５の穴１１５ａの上端は狭められており、穴１１５ａの下端には電源端子保持用のランス１１５ｂがそれぞれ設けられている。
【００６９】
角筒部１１１の長手方向に沿う側壁１１１ａ，１１１ｂの、取付け部１１５が形成されている側の内面の上端側には互いに内向きに突出してボス１１６が形成されている。また、取付け部１１４が形成されている側において、角筒部１１１の幅方向に沿う側壁１１１ｃと側壁１１１ａ及び１１１ｂがそれぞれなす角部には規制片１１７が形成されている。規制片１１７は平板状をなし、角筒部１１１の上面に位置するように形成されている。
【００７０】
一対の電源端子１２０の取付け部１１５が形成されている側においてフランジ１１２の下側に位置する角筒部１１１の外形形状はフランジ１１２の上側の外形形状と異なり、２つの穴１１５ａの位置に対応して角筒部１１１の幅方向において互いに反対方向に延長された形状とされている。この延長部分１１８にはそれぞれ溝１１８ａが形成されており、溝１１８ａは延長部分１１８の延長端から穴１１５ａに至るようにそれぞれ形成されている。２つの溝１１８ａにはナット格納部１１８ｂがそれぞれ形成されており、ナット格納部１１８ｂの内部底面には穴１１８ｃが形成されている。
【００７１】
一対の電源端子１２０はそれぞれ図３に示したように平板状をなす端子部１２１と端子部１２１から曲げ起こされて形成された接続部１２２とを備える。接続部１２２は角筒状をなし、内部には接触片１２２ａを保持している。端子部１２１には穴１２１ａが形成されている。
【００７２】
レセプタクル１００の組立てはレセプタクルハウジング１１０に一対の電源端子１２０、コネクタ１３０、２つのナット１４０及び２つのカラー１５０を取り付けることによって行われる。
【００７３】
カラー１５０はフランジ１１２の穴１１２ａに装着される。カラー１５０はレセプタクルハウジング１１０のフランジ１１２を例えば筐体等にボルト止めして取り付ける際の補強として機能するもので、金属製とされ、上下面がフランジ１１２の板面よりもやや突出する厚さとされている。カラー１５０を取り付けることにより、樹脂製のフランジ１１２がボルト止め時の締結力によって損傷するといった不具合の発生を防止することができる。
【００７４】
コネクタ１３０はレセプタクルハウジング１１０の取付け部１１４に下方から圧入されて取り付けられる。
【００７５】
ナット１４０はレセプタクルハウジング１１０のナット格納部１１８ｂに収容され、この状態で一対の電源端子１２０が取付け部１１５に取り付けられる。電源端子１２０は接触部１２２が取付け部１１５の穴１１５ａに下方から挿入されて取り付けられ、ランス１１５ｂによって抜け止め保持される。一対の電源端子１２０の端子部１２１はそれぞれレセプタクルハウジング１１０の延長部分１１８に形成されている溝１１８ａに位置する。ナット１４０は電源端子１２０の端子部１２１とレセプタクルハウジング１１０とによって挟み込まれ、端子部１２１の穴１２１ａはナット１４０の穴と位置が一致される。
【００７６】
このようにして組み立てられたレセプタクル１００は前述したようにフランジ１１２が筐体等にボルト止めされて取り付けられ、フランジ１１２の下側に位置する部分は筐体内部に収容される。一対の電源端子１２０の端子部１２１には電源回路の電源ラインが接続される。電源ラインは例えば短冊状の銅板よりなるものとされる。端子部１２１と電源ラインの銅板とはボルトをナット１４０にねじ込むことにより、ボルトとナット１４０とによって挟み込まれて接続される。
【００７７】
一方、一対の信号端子と接続されてコネクタ１３０から引き出されている一対のリード線１６０は電源回路の通電をＯＮ／ＯＦＦするスイッチに接続される。
【００７８】
次に、上記のような構成を有するプラグ２００とレセプタクル１００の接続の仕方、動作について、図９〜１２を参照して順に説明する。
【００７９】
（１）図９に示したようにレバー４０を開位置に位置させた状態でプラグ２００をレセプタクル１００に挿入する。プラグ２００はレセプタクルハウジング１１０の角筒部１１１内に挿入されて角筒部１１１の長手方向及び幅方向に位置決めされる。レセプタクルハウジング１１０に形成されている一対のボス１１６はレバー４０に形成されているカム溝４２ｃに入り込む。なお、レバー４０が開位置に位置していない状態では、レバー４０の支持部４２の先端のカム溝４２ｃの開放部分とレセプタクルハウジング１１０のボス１１６の位置とが一致せず、ボス１１６がレバー４０の支持部４２の端面に突き当たってしまうため、プラグ２００をレセプタクル１００に挿入することはできない。
【００８０】
（２）図１０に示したようにレバー４０を回動させる。レバー４０の回動に伴い、レセプタクルハウジング１１０のボス１１６はカム溝４２ｃ内を移動し、カム溝４２ｃとボス１１６とよりなるカム機構によりプラグ２００はレセプタクルハウジング１１０内に引き込まれる。レセプタクルハウジング１１０に対するプラグハウジング３０の変位により、プラグハウジング３０に保持されている主端子７０はレセプタクルハウジング１１０の取付け部１１５に取り付けられている一対の電源端子１２０と図１０Ｂ，Ｃに示したように接続され、つまり一対の電源端子１２０が主端子７０を介して接続されて電源回路が形成される。
【００８１】
（３）図１１に示したようにさらにレバー４０を回動させる。ボス１１６は図１１Ｃに示したようにカム溝４２ｃの内端に至り、レバー４０は閉位置に位置する状態となる。レバー４０が閉位置に位置する状態ではレバー４０に形成されている突起４１ｆは図１１Ｂに示したようにロックスライダ５０の第１のロック片５５に突き当たって第１のロック片５５を押す。これによりプラグハウジング３０のロック部３３ｆによる第１のロック片５５のロックが解除され、ロックスライダ５０のスライドが可能になる。
【００８２】
（４）ロックスライダ５０を図１１に示した非接続位置から図１２に示した接続位置にスライドさせる。ロックスライダ５０のスライドに伴い、サブコネクタ６０のボス６１はロックスライダ５０に形成されているカム溝５８内を移動し、カム溝５８とボス６１とよりなるカム機構によりサブコネクタ６０は下方に変位する。このサブコネクタ６０の変位により、サブコネクタ６０に取り付けられている副端子８０は図１２Ｂに示したようにレセプタクル１００のコネクタ１３０に保持されている一対の信号端子１７０と接続される。一対の信号端子１７０が副端子８０を介して接続されることにより電源回路のスイッチはＯＮとなり、通電が開始される。
【００８３】
なお、ロックスライダ５０が接続位置に位置する状態では図１２Ｃに示したようにロックスライダ５０の第２のロック片５６の爪５６ａはレバー４０のロック部４１ｅに引っ掛かり、第２のロック片５６はロック部４１ｅにロックされるため、ロックスライダ５０の接続位置からのスライドは規制される。
【００８４】
また、ロックスライダ５０の非接続位置から接続位置へのスライドに伴い、ロックスライダ５０の溝５１ｃにレセプタクルハウジング１１０の規制片１１７とレバー４０の規制片４１ｇとが図１２Ｃに示したように入り込むため、レバー４０の回動も規制される。
【００８５】
一方、レセプタクル１００からのプラグ２００の抜去は以下のようにして行うことができる。
【００８６】
・レバー４０のロック部４１ｅによるロックスライダ５０の第２のロック片５６のロックはロックスライダ５０のボタン５７を押すことにより解除することができる。よって、ボタン５７を押した状態でロックスライダ５０をスライド操作すれば、ロックスライダ５０を図１２に示した接続位置から図１１に示した非接触位置にスライドさせることができる。これにより副端子８０は一対の信号端子１７０から離脱し、電源回路のスイッチがＯＦＦとなって通電が停止される。
【００８７】
また、ロックスライダ５０の溝５１ｃに入り込んでいたレバー４０の規制片４１ｇが溝５１ｃから抜け出るため、レバー４０の回動が可能になる。この時、ロックスライダ５０の第１のロック片５５の反力をレバー４０は受けるため、作業者がレバー４０に触れておらず、レバー４０に押圧力（負荷）がかかっていない状態ではレバー４０は閉位置に位置せず、先端が図１３に示したように浮き上がった状態となる。これにより、副端子８０が一対の信号端子１７０から離脱し、通電が停止されていることを視覚的に確認することができる。
【００８８】
・レバー４０を図９に示した開位置まで回動する。これにより、主端子７０は一対の電源端子１２０から離脱し、電源回路が遮断される。また、レセプタクル１００からのプラグ２００の抜去が可能となる。
【００８９】
以上説明したように、この例ではロックスライダ５０が接続位置に位置し、通電状態となっている状態ではレバー４０を回動操作することはできず、つまりロックスライダ５０が非接続位置にスライドされて通電の停止が行われない限り、レバーの回動による電源回路の遮断が行われることのない構造になっている。よって、通電停止から電源回路の遮断までに放電時間を確保することができる。
【００９０】
さらに、一対の信号端子１７０と接離され、通電の開始、停止を担う副端子８０を保持するサブコネクタ６０を変位させるロックスライダ５０は回動操作されるレバー４０ではなく、プラグハウジング３０に取り付けられているため、ロックスライダ５０はレバー４０のガタツキの影響を受けることはなく、これにより副端子８０と一対の信号端子１７０との位置合わせ精度を向上させることができる。
【００９１】
なお、上述した実施例では、レバー４０に設けたカム溝４２ｃとレセプタクルハウジング１１０に設けたボス１１６とよりなる第１のカム機構によってプラグハウジング３０が変位するものとなっているが、カム溝をレセプタクルハウジング１１０に設け、カム溝内を移動するボスをレバー４０に設けてもよい。
【００９２】
また、ロックスライダ５０に設けたカム溝５８とサブコネクタ６０に設けたボス６１とよりなる第２のカム機構によってサブコネクタ６０が変位するものとなっているが、カム溝をサブコネクタ６０に設け、カム溝内を移動するボスをロックスライダ５０に設けてもよい。
【００９３】
また、ロックスライダ５０に第１のロック片５５を設け、プラグハウジング３０に第１のロック片５５がロックされるロック部３３ｆを設け、レバー４０が閉位置に位置していない時には第１のロック片５５がロック部３３ｆにロックされて、ロックスライダ５０の非接続位置からのスライドが規制されるものとしているが、第１のロック片をプラグハウジング３０に設け、第１のロック片がロックされるロック部（第１のロック部）をロックスライダ５０に設けてもよい。この場合はレバー４０の突起４１ｆがプラグハウジング３０の第１のロック片を変位させることになる。
【００９４】
さらに、ロックスライダ５０が接続位置に位置している時のレバー４０の回転規制構造としては上述した例に限らず、例えばレバー４０に回動規制用のロック片を設け、ロックスライダ５０が接続位置に位置している時にはレバー４０のロック片がレセプタクルハウジング１１０にロックされて回動操作できないようにし、ロックスライダ５０が非接続位置に位置している時にはレバー４０のロック片のロックが解除されてレバー４０の回動操作が可能となる構造としてもよい。
【符号の説明】
【００９５】
１０    コネクタ                            １１    ハウジング
１１ａ    支持軸                            １１ｂ    収容部
１２    主端子                              １３    第１操作部材
１３ａ    支点部                            １３ｂ    スライド溝
１３ｃ    第１作用部                        １４    第２操作部材
１４ａ    スライド突起                      １４ｂ    第２作用部
１４ｃ    ロックレバー                      １５    サブコネクタ
１５ａ    保持部                            １５ｂ    被作用部
１６    副端子                              ２０    相手側コネクタ
２１    相手側ハウジング                    ２１ａ    保持部
２２    相手側主端子                        ２３    相手側サブコネクタ
２４    相手側副端子                        ３０    プラグハウジング
３１    第１角筒部                          ３１ａ    上面
３１ｂ    底面                              ３１ｃ，３１ｄ    側壁
３１ｅ    軸                                ３１ｆ    スリット
３１ｇ    内面                              ３１ｈ    溝
３１ｉ    突部                              ３１ｋ    リブ
３１ｍ    保持部                            ３２    第２角筒部
３２ａ    上面                              ３２ｂ    底面
３２ｃ，３２ｄ    側壁                      ３２ｅ    スリット
３２ｆ，３２ｇ    側壁                      ３２ｈ，３２ｉ    突起
３２ｋ    レール                            ３３    外枠部
３３ａ，３３ｂ    板部                      ３３ｃ，３３ｄ    支持部
３３ｅ    連結部                            ３３ｆ    ロック部
３３ｇ    窓                                ４０    レバー
４１    操作部                              ４１ａ，４１ｂ    側壁
４１ｃ    上板部                            ４１ｄ    突部
４１ｅ    ロック部                          ４１ｆ    突起
４１ｇ    規制片                            ４１ｈ    Ｌ字板部
４１ｉ    底面                              ４２    支持部
４２ａ    外側面                            ４２ｂ    軸穴
４２ｃ    カム溝                            ４２ｄ    位置決め片
４２ｅ    突起                              ４３    延長部
５０    ロックスライダ                      ５１    側板部
５１ａ    凹部                              ５１ｂ    段部
５１ｃ    溝                                ５１ｄ    ガイド溝
５２    支持板部                            ５３    ガード部
５４    連結板部                            ５５    第１のロック片
５５ａ    爪                                ５６    第２のロック片
５６ａ    爪                                ５７    ボタン
５７ａ    延長部                            ５８    カム溝
５８ａ    前方水平部                        ５８ｂ    傾斜部
５８ｃ    後方水平部                        ６０    サブコネクタ
６０ａ〜６０ｄ    側壁                      ６１    ボス
６２    バネ片                              ６２ａ    突部
６３    バネ片                              ６３ａ    突部
６４    切欠き                              ６５    取付け部
６５ａ    穴                                ７０    主端子
７１    接触片                              ７２    連結部
７２ａ    爪                                ７２ｂ    凹部
７２ｃ    凸部                              ８０    副端子
８１    接触片                              ８２    連結部
８２ａ    爪                                １００    レセプタクル
１１０    レセプタクルハウジング            １１１    角筒部
１１１ａ〜１１１ｃ    側壁                  １１２    フランジ
１１２ａ    穴                              １１３    底板
１１４    取付け部                          １１４ａ    穴
１１５    取付け部                          １１５ａ    穴
１１５ｂ    ランス                          １１６    ボス
１１７    規制片                            １１８    延長部分
１１８ａ    溝                              １１８ｂ    ナット格納部
１１８ｃ    穴                              １２０    電源端子
１２１    端子部                            １２１ａ    穴
１２２    接触部                            １２２ａ    接触片
１３０    コネクタ                          １４０    ナット
１５０    カラー                            １６０    リード線
１７０    信号端子                          ２００    プラグ
【図１】
0006634347.tif 000002
【図２】
0006634347.tif 000003
【図３】
0006634347.tif 000004
【図４】
0006634347.tif 000005
【図５】
0006634347.tif 000006
【図６】
0006634347.tif 000007
【図７】
0006634347.tif 000008
【図８】
0006634347.tif 000009
【図９】
0006634347.tif 000010
【図１０】
0006634347.tif 000011
【図１１】
0006634347.tif 000012
【図１２】
0006634347.tif 000013
【図１３】
0006634347.tif 000014
【図１４】
0006634347.tif 000015
【図１５】
0006634347.tif 000016
【図１６】
0006634347.tif 000017
【図１７】
0006634347.tif 000018
【図１８】
0006634347.tif 000019